(57)【特許請求の範囲】
【請求項１】
鋼鉄製の粗目の網の前後端に枠材を固定し、後部枠材に地面に向かって突出するクギを列設した第一整地具に、更にその後方に前記の網より細目の網目より成る第二整地具を連設して成るグランド整地具。
【発明の詳細な説明】
【技術分野】
【０００１】
本発明は、グランド、野球（ソフトボール）場、多目的広場などの整備用具に関するものである。
【０００２】
従来、野球場、グランド等の地面を整備する方法としては、木製、金属製のグランドレーキ（砂ならし）などを引っ張って均す方法や、その整備具で地面を前後動させて削って均す方法が取られている。これは荒れた地面を均し、盛り上がった土を窪んだ場所に移し平坦にする作業であるが、地面は乾燥した硬い状態や雨の後の軟らかい状態など様々であり、また面積も広く丁寧にしなければならないので、以外と時間を要する作業である。大型のブラシを取り付けた整備用自動車のある野球（ソフトボール）場やグランドは一部に限られているので、殆どのグランドでは人力による整備作業が行なわれている。競技はこれらの整備作業後に行なわれ、競技の途中には荒れた場所を短時間で整備しなければならない場合もある。出願人は先に特願２００３−２９３４７０号では、グランドレーキ（砂ならし）の前後に均し板を設けて３枚の均し板で地面を削り均す方法と特願２００３−４０２４８１号では長方形の天板の下面に人工芝を取り付けたグランド整備具を提案している。２００６−１０９８６７号では長尺体下の下面の前面に細長い長方形の人工芝を取り付けたグランド整備具を提案している。また特願２００４−１８５７９８号では椅子を利用したグランド補助整備具を提案している。特開２００３−１０５７１４号では枠体の下面に３列に渡って突起棒を取り付けたグランド整地具を提案している。実開昭６０−１８１１３号では削り刃、掻き爪、ブラシを使用し舵取りをしながらグランドを均す整地具を提案している。
【０００３】
【特許文献１】２００３−２９３４７０号特願２００３−４０２４８１号特願２００４−１８５７９８号特願２００６−１０９８６７号特願２００１−３０６８１８号実願昭５８−１０７７４６号
【発明の開示】
【発明が解決しようとする課題】
【０００４】
グランド整備に使用するコートブラシは細長い角材の下面に毛を植え込んだブラシであり、地面には強くあたらず撫でるようにして均すだけのものでもあり、グランドの表面しか整備をすることが出来ない。また、グランドレーキも木・鉄・アルミなどでつくられたアングルや長方形の角材を引っ張ることによって地面上を削って均すものである。グランドの良い状態を維持するには日常的に地面の整備作業をする必要がある。グランドの広範囲にわたる地面の土の中には小石、ゴミなどが自然に混じり込んでいる。比較的小さい小石、ゴミは取り除かれることはなく放置されているのが問題である。特願２００３−２９３４７０号は人力による整備作業をする用具であり、部分的な盛り上がりや窪みを平坦に均すことを目的としている。特願２００３−４０２４８１号はバイク、自動車を利用した整備具であり、地面を均して整備の仕上がりも広範囲に平均して行なうことが出来るが、地面を均すものであり、乾いた地面の使用が対象と思われる。また特願２００４−１８５７９８号はグランド整備具をロープの先端に取り付け円形の地面を整備するための補助的整備具を提案している。人が回転椅子の座席に座って作業する簡単な整備具である。ただ表面を均すだけのものである。特願２００６−１０９８６７号ではグランドを削りながら平坦な地面に整備するものである。地面の表面を削ることだけで地面の掘り起こしがなく地面の中の雑草、小石等の取り除きが難しく思える。特願２００１−３０６８１８号は枠体の下面に３列に渡って突起鋼棒を溶接し全体を引きずることによりグランドを平坦な地面にする為の整地具である。しかし全体の重量（２００ｋｇ）が大きくまた先端の突起物が短くなれば新しいものと取り替える場合、溶接し直す作業を取り入れているこれは作業が難しく感じる。実願昭５８−１０７７４６号は削り刃、掻き爪、ブラシを取り付けた本体を車両に連結し舵取りをしながらグランドを平坦な地面にするための整地具である。だが作業が一人でなく複数必要と考えられる。また地面の状態によっては操作杆での舵取りも難しく作業が困難である。
どの整地具についても乾いた地面のみ均すことができ、湿った地面については均すことが難しく感じる。
【０００５】
本発明は上述の点に鑑みて、グランド、野球（ソフトボール）、多目的広場の地面の雑草、凸凹、小石、ゴミを取り除く機能と、雨あがりのような湿った地面についても使用できる機能と均す機能を合わせ備えた整備具で、軟らかい平坦な地面に整備することを課題としたものである。
【課題を解決するための手段】
【０００６】
そこで本発明の請求項1記載のグランド整地具は（本発明1と言う）鋼鉄の網1に前後にアングル２を固定し、後部に鋼鉄のクギ３を取り付け、その後方を鋼鉄の網１枚もしくは２枚を引っ張る方法と単独で引っ張る方法を特徴とする。
【０００７】
本発明の図1で鋼鉄の網1を使用しているが、重量がある物であれば網にこだわらない。
【０００８】
図1に示すように本発明1にクサリ（またはロープ）を取り付けて自動車で引っ張った場合、後方に取り付けた鋼鉄クギ３によって地面が掘り起こされ、雑草、小石、その他凸凹がとれ、地面が軟らかくなり平坦に均すことが出来る。（以下一例として数字をあげると  大きさ  １８４０×７１０  重さは４０ｋｇ前後としている。）
【０００９】
本発明１の考案について
自動車で引っ張った場合、一定の速度を保つことが非常に難しく、これを解消するため重さとクサリの長さにより、バランスを保つ工夫をしている。
・  全体の大きさと重さが大きいと、一人での移動が難しくなる。
・  重さが軽すぎると後部クギ３がはねて、作業にならずバランスが保てない。
・  車の大きさにより、クサリ１１（又はロープ）の長さで調節する。
【００１０】
本発明の請求項２記載のグランド整地具（本発明２と言う）は上記本発明1に接続して、引っ張ったり単独で引っ張ることで凸凹がなくなり、雑草、小石、ゴミ等が網にかかり取り除く事ができ、同時に平坦に均すことを特徴とする。（以下一例として数字をあげると  大きさ  １８４０×７１０  重さは２０ｋｇ前後としている。）
【００１１】
図３には本発明の請求項３記載のグランド整地具の網目を小さくした一例を示す。上記本発明２に接続して、引っ張ったりまたは単独で引っ張ることで地面がよりきれいになる事を特徴とする。（以下一例として数字をあげると  大きさ  １８４０×７２０  重さは１５ｋｇ前後としている。）
【発明の効果】
【００１２】
１．本発明1の効果として図1に示すように本発明1にクサリ（またはロープ）１１を取り付けて、自動車で引っ張って、後方に取り付けたクギにより地面が掘り起こされ、雑草、小石、ゴミ等を取ることができ、また凸凹部分がなくなり平坦に均すことが出来る。
２．雨上がりの様な地面の軟弱な場合、本発明1を使用することにより、地面の乾きが早くなる。
３．本発明1を使用する回数を重ねることにより、グランド等の水はけが良くなる。
４．本発明1を使用する回数を重ねることにより雑草、小石、ゴミ等がなくなりきれいになる。
５．使用によりクギが短くなった場合は、いつでも簡単に取り替えることが出来る。（図１で示す通り5の角ボルトを取り外せば２０分程度で取替可能である。）
６．本発明１は後方のみにクギがあるので安定性が良く、自動車で牽引する場合、梶棒などを取り付けなくても簡単に安定したグランド整地が可能である。
【００１３】
本発明２は、本発明１の後方に接続して引っ張ることにより、地面を平坦にすること、また雑草、小石、ゴミ等が網に引っかかり、取り除くことが出来る。
【００１４】
本発明２の後方に網目を小さくしたものを接続して引っ張ることにより、地面がより平坦になり、小さいゴミ、雑草等がとれ一層仕上がりがきれいである。
【００１５】
本発明１、２、それと網目を小さくしたもの３点を複数個、いろいろな所のグランドに人の手を借りることなく移動し、使用することが簡単でいつでもどこでも作業が出来る。（寸法  １８４０×７１０）重量、危険性が少なく一人でトラックに積める）
【実施例１】
【００１６】
実施の形態の1例として図1は本発明1の説明図である。
鋼鉄の網1に前後をアングル２を固定し、後部に鋼鉄のクギ３を取り付け、後部アングルに本発明２を接続する為のシャクル６を２ヶ所取り付け、前部分には自動車等で引っ張る為のシャクル６を２ヶ所取り付けている。
【００１７】
実施の形態の一例として、本発明1の整備方法としては、地面がさらさらに乾燥している場合は図６で示す通り本発明２、それと網目を小さくしたものを接続して使用すれば一度に地面の凸凹、雑草、小石、ゴミ等を取り除き平坦に均すことが出来る。
【００１８】
雨上がりや水分を大量に含んだ地面の場合は、図４で示す通り本発明1だけを引っ張る事により地面の凸凹がなくなり雑草、小石が掘り起こされ地面の乾燥を早くすることが出来る。
【実施例２】
【００１９】
実施の形態の一例として、図２は本発明２の説明図である。鋼鉄の網の前部に鉄棒を固定し、本発明1に接続する為のシャクル６を２ヶ所取り付け、そこにクサリを取り付けている。後方の網に２ヶ所シャックル７を網目を小さくしたものを接続する為に取り付けている。
地面の乾き具合により、図７で示す通り、本発明２だけを引っ張ることにより地面を平坦に均すことができ、雑草、小石、ゴミ等の取り除きが出来る。
【００２０】
地面が乾燥して簡単に凸凹が取り除く事が出来る場合は、図８で示す通り本発明２と網目を小さくしたものを接続して引っ張ると平坦に均し、雑草、小石、ゴミ等を取り除くことができ地面がきれいに仕上がる。
【００２１】
地面の乾き具合によっては、図５で示す通り、本発明１と本発明２を接続して使用すれば地面の凸凹がなくなり雑草、小石、ゴミ等の取り除きが出来る。
【実施例３】
【００２２】
実施の形態の一例として図３は本発明２の網目を小さく、重量を軽くした一例である。鋼鉄の網の前部に鉄棒を固定し、本発明２と接続する為のシャクル６とそれにクサリを取り付けた。
乾いた地面に図８で示す通り、本発明２に接続して使用すれば地面の仕上がりが非常にきれいである。
【００２３】
本発明１〜２は四季を問わず、グランドの様々な状態に対応出来るように平坦に均す効果と、雑草、小石、ゴミ等を取り除く効果を取り混ぜて砂地用グランド専用に最適に使用できる整備具を製作することが出来るものである。
【００２４】
地面の状態により、本発明１、本発明２、網目の小さいものとを色々と組合せをしたり、単独使用したりすれば良い。
【図面の簡単な説明】
【００２５】
【図１】本発明１の実施の形態の一例を示す斜視図
【図２】本発明２の実施の形態の一例を示す斜視図
【図３】本発明２の実施の形態の一例を示す斜視図
【図４】本発明1の使用形態
【図５】本発明1と本発明２の使用形態
【図６】本発明1と本発明２を複数用いた使用形態
【図７】本発明２の使用形態
【図８】本発明２を複数用いた使用形態
【符号の説明】
【００２６】
A  本発明１を示す。
B  本発明２を示す。
C  本発明２を軽くした一例を示す。
１  鋼鉄の網（４０×７５×６）
２  アングル（５０×５０×４） 
３  鋼鉄のクギ（５×１００）
４  アングル（３０×３０×３）
５  角ボルト
６  シャックル
７  シャックル（No.６より大きい）
８  クサリ
９  鉄棒
１０  鋼鉄の網（３０×７０×４）
１１  クサリ（またはロープ）
上記１〜１１の項目の（  ）内の数字は使用材料の一例として縦、横の長さ、厚み等を表示している。
【図１】
0004992658.tif 000002
【図２】
0004992658.tif 000003
【図３】
0004992658.tif 000004
【図４】
0004992658.tif 000005
【図５】
0004992658.tif 000006
【図６】
0004992658.tif 000007
【図７】
0004992658.tif 000008
【図８】
0004992658.tif 000009